(57)【特許請求の範囲】
【請求項１】
情報の記録および／または再生に要求される光ディスク側の開口数が０．６０以上である光ディスクを使用可能な光ディスク用光学系であって、
発散光を照射する光源と、
前記発散光を前記光ディスクに集光させる対物レンズと、
少なくとも、前記対物レンズをトラッキングシフトさせるとともに、該対物レンズの中心軸が前記光源方向へ向かうように該対物レンズの姿勢を変化させる駆動手段と、
を有し、
前記光源から前記光ディスクの記録面までの空気換算距離をｄ［ｍｍ］、トラッキングシフトによる像の移動量をＴＲ［ｍｍ］、該トラッキングシフト時における前記対物レンズの姿勢の変化量をθ［°］とすると、以下の条件式（１）を満足することを特徴とする光ディスク用光学系。
0.25≦d・tanθ／TR≦0.75 …（１）
【請求項２】
請求項１に記載の光ディスク用光学系において、
前記光源から照射された光束に対して前記対物レンズのみが傾いたときに発生するコマ収差の感度をＣＭＬ、前記光源から照射され前記対物レンズを透過した光束に対して前記光ディスクのみが傾いたときに発生するコマ収差の感度をＣＭＤとすると、以下の条件式（２）を満足することを特徴とする光ディスク用光学系。
−0.75≦CMD／CML≦−0.15 …（２）
【請求項３】
請求項１又は請求項２に記載の光ディスク用光学系において、
前記光源から照射された光束に対して前記対物レンズのみが傾いたときに発生するコマ収差の感度をＣＭＬ、前記光源から照射され前記対物レンズを透過した光束に対して前記光ディスクのみが傾いたときに発生するコマ収差の感度をＣＭＤとすると、以下の条件式（３）を満足することを特徴とする光ディスク用光学系。
−0.30≦（CMD／CML）・d・tanθ／TR≦−0.15 …（３）
【請求項４】
ディスク保護層厚の異なる複数種類の光ディスクに対して情報の記録および／または再生可能な光ディスク用光学系であって、
各光ディスクに対する情報の記録および／または再生に対応した波長の発散光を照射する複数の光源と、
各光ディスクに対する情報の記録および／または再生時に共通に用いられ、前記複数の光源からの発散光を各光ディスクに集光させる対物レンズと、
少なくとも、前記対物レンズをトラッキングシフトさせるとともに、該対物レンズの姿勢を変化させる駆動手段と、
を有し、
前記駆動手段は、前記複数種類の光ディスクの中で少なくとも最もディスク保護層厚の薄い第一の光ディスクに対する情報の記録および／または再生時には、トラッキングシフトと同時に前記対物レンズの中心軸が前記光源方向へ向かうように姿勢を変化させ、
前記複数の光源のうち、前記第一の光ディスクに対する情報の記録・再生に対応した波長の発散光を照射する第一の光源から前記光ディスクの記録面までの空気換算距離をｄ１［ｍｍ］、トラッキングシフトによる像の移動量をＴＲ［ｍｍ］、前記第一の光ディスクに対する情報の記録・再生を行う際の前記トラッキングシフト時における前記対物レンズの姿勢の変化量をθ１［°］とすると、以下の条件式（４）を満足することを特徴とする光ディスク用光学系。
0.25≦d1・tanθ1／TR≦0.75 …（４）
【請求項５】
請求項４に記載した光ディスク用光学系において、
前記第一の光ディスクよりも相対的に保護層厚の厚い第二の光ディスクに対する情報の記録および／または再生を行う際の前記トラッキングシフト時における前記対物レンズの姿勢の変化量をθ２［°］とすると、以下の条件式（５）を満足することを特徴とする光ディスク用光学系。
−0.1≦θ2／θ1≦1 …（５）
【請求項６】
請求項５に記載した光ディスク用光学系において、
さらに以下の条件式（６）を満足することを特徴とする光ディスク用光学系。
θ2／θ1＝0 …（６）
【請求項７】
請求項４から請求項６のいずれかに記載した光ディスク用光学系において、
前記第一の光ディスクは、情報の記録および／または再生に要求される光ディスク側の開口数が０．６０以上であることを特徴とする光ディスク用光学系。
【請求項８】
請求項５、請求項６、又は請求項５を引用する請求項７のいずれかに記載した光ディスク用光学系において、
前記第二の光ディスクは、前記複数種類の光ディスクの中で最も保護層厚の厚い光ディスクであることを特徴とする光ディスク用光学系。
【請求項９】
請求項４から請求項８のいずれかに記載の光ディスク用光学系において、
前記複数の光源のうち、前記第一の光ディスクに対する情報の記録および／または再生に対応した波長の発散光を照射する第一の光源から照射された光束に対して前記対物レンズのみが傾いたときに発生するコマ収差の感度をＣＭＬ１、前記第一の光源から照射され前記対物レンズを透過した光束に対して前記第一の光ディスクのみが傾いたときに発生するコマ収差の感度をそれぞれＣＭＤ１とすると、以下の条件式（７）を満足することを特徴とする光ディスク用光学系。
−0.75≦CMD1／CML1≦−0.15 …（７）
【請求項１０】
請求項４から請求項９のいずれかに記載の光ディスク用光学系において、
前記複数の光源のうち、前記第一の光ディスクに対する情報の記録および／または再生に対応した波長の発散光を照射する第一の光源から照射された光束に対して前記対物レンズのみが傾いたときに発生するコマ収差の感度をＣＭＬ１、前記第一の光源から照射され前記対物レンズを透過した光束に対して前記第一の光ディスクのみが傾いたときに発生するコマ収差の感度をそれぞれＣＭＤ１とすると、以下の条件式（８）を満足することを特徴とする光ディスク用光学系。
−0.30≦（CMD1／CML1）・d1・tanθ1／TR≦−0.15 …（８）
【請求項１１】
請求項５、請求項６、又は請求項５を引用する請求項７から請求項１０のいずれかに記載の光ディスク用光学系において、
前記複数の光源のうち、前記第二の光ディスクに対する情報の記録および／または再生に対応した波長の発散光を照射する第二の光源から照射された光束に対して前記対物レンズのみが傾いたときに発生するコマ収差の感度をＣＭＬ２、前記第二の光源から照射され前記対物レンズを透過した光束に対して前記第二の光ディスクのみが傾いたときに発生するコマ収差の感度をＣＭＤ２としたとき、以下の条件式（９）を満足することを特徴とする光ディスク用光学系。
−1.50≦CMD2／CML2≦−0.50 …（９）
【請求項１２】
第一の光ディスクと、該第一の光ディスクの保護層厚の略倍の保護層厚を持つ第二の光ディスクに対して情報の記録および／または再生可能な光ディスク用光学系であって、
前記第一の光ディスクと前記第二の光ディスクに対する情報の記録および／または再生に対応した波長の発散光を照射する複数の光源と、
前記第二の光ディスクの保護層厚によって発生するコマ収差の感度と略同一のコマ収差の感度を有し、前記第一の光ディスクと前記第二の光ディスクに対する情報の記録および／または再生時に共通に用いられ、前記発散光を各光ディスクに集光させる対物レンズと、
少なくとも、前記対物レンズをトラッキングシフトさせるとともに、前記対物レンズの中心軸が前記光源方向へ向かうように該対物レンズの姿勢を変化させる駆動手段と、
を有し、
前記駆動手段は、前記第一の光ディスクに対する情報の記録および／または再生時において、トラッキングシフトと同時に、該トラッキングシフトによって発生する非点収差を略完全に補正するような前記対物レンズの姿勢に対応する変化量の略半分だけ前記対物レンズの姿勢を変化させ、前記第二の光ディスクに対する情報の記録および／または再生時においては、トラッキングシフト時に前記対物レンズの姿勢を変化させないことを特徴とする光ディスク用光学系。
【請求項１３】
請求項４から請求項１２のいずれかに記載の光ディスク用光学系において、
前記複数の光源は、光束の射出方向に直交する面内でずれた位置に配置されると共に、前記複数の光源の前記対物レンズによる像が、トラッキングシフトによる像の移動方向と略直交する方向に並ぶように配置されていることを特徴とする光ディスク用光学系。
【請求項１４】
請求項４から請求項１３のいずれかに記載の光ディスク用光学系において、
使用される光ディスクの種類を判別するディスク判別手段を更に備え、
前記駆動手段は、前記ディスク判別手段による判別結果に基づき、前記複数の光源のうちの使用される光源及び前記対物レンズのトラッキングシフト量に応じた前記対物レンズの姿勢の変化量を設定すること、
を特徴とする光ディスク用光学系。
【請求項１５】
請求項４から請求項１２のいずれかに記載の光ディスク用光学系において、
前記複数の光源は、光束の射出方向に直交する面内でずれた位置に配置され、
前記駆動手段は、前記複数の光源のうち使用される光ディスクの種類に対応する光源が前記対物レンズの中心軸上に位置するよう前記対物レンズを移動させた位置を、前記使用される光ディスクのトラッキングシフトの基準位置とすること、
を特徴とする光ディスク用光学系。
【請求項１６】
請求項１５に記載の光ディスク用光学系において、
前記複数の光源はトラッキングシフトによる像の移動方向に配列されていることを特徴とする光ディスク用光学系。
【請求項１７】
請求項１５または請求項１６に記載の光ディスク用光学系において、
使用される光ディスクの種類を判別するディスク判別手段を更に備え、
前記駆動手段は、前記ディスク判別手段による判別結果に基づき、前記複数の光源のうちの使用される光源及び前記対物レンズのトラッキングシフト量に応じた前記対物レンズの姿勢の変化量を設定すると共に、前記トラキングシフトの基準位置の設定を行うこと、
を特徴とする光ディスク用光学系。
【発明の詳細な説明】
【技術分野】
【０００１】
保護層厚や記録密度が異なる複数種類の光ディスクに対する情報の記録および／または再生を行う光情報記録・再生装置に用いられる光ディスク用光学系であって、特にコリメートレンズ等のカップリングレンズを用いない構成の光ディスク用光学系に関する。
【背景技術】
【０００２】
光ディスクには、記録密度や保護層の厚みが異なる複数の規格が存在する。例えば、ＣＤ（コンパクトディスク）よりもＤＶＤ（デジタルバーサタイルディスク）の記録密度は高く、保護層が薄い。そこで、規格が異なる光ディスクに対しては、各ディスクの保護層の厚みによって変化してしまう球面収差を補正しつつ、情報の記録や再生に使用する光の開口数（ＮＡ）を変化させて記録密度の違いに対応した有効光束径が得られるように構成された光ディスク用光学系を用いる必要がある。
【０００３】
従来の光ディスク用光学系は、光源、カップリングレンズ、対物レンズ等から構成されていた。ここでカップリングレンズとは、光源から照射された光を平行光化するコリメートレンズ、あるいは光束の発散度（倍率）変換作用を持ったレンズなどのことである。カップリングレンズは、記録面上での収差の発生を抑える、あるいは光の利用効率を高めるなどの目的で用いられていた。しかし近年、光ディスク用光学系のコストダウン、およびより一層の小型化を図るために、構成部品の点数を削減することが検討されている。そこで、以下の特許文献１〜４のように該カップリングレンズを省略した構成、いわゆる有限共役系（有限系）の光ディスク用光学系が提案されている。
【０００４】
【特許文献１】特開平８−６２４９６号公報
【特許文献２】特開平８−３３４６８６号公報
【特許文献３】特開昭６４−２５１１３号公報
【特許文献４】特開平２−２２３９０６号公報
【０００５】
上記の各特許文献１〜４に開示される光ディスク用光学系はどれも、ＣＤやＣＤ−Ｒといった記録密度が低く、保護層厚が厚い光ディスクを使用することを前提としている。つまり、各光学系は、低いＮＡによって比較的大きなスポットを形成することにより情報の記録や再生が行われる構成になっている。
【０００６】
上記の各特許文献１〜４に開示される有限系の光ディスク用光学系は、光源と対物レンズの相対的位置関係を変化させると収差が発生してしまう。具体的には、フォーカシングのために対物レンズを中心軸方向に沿って移動させると、球面収差が発生する。また、トラッキングのために対物レンズを光軸方向と直交する方向に移動（トラッキングシフト）させると、該対物レンズに軸外光が入射することによるコマ収差や非点収差が発生する。ここで、光軸とは、光源、対物レンズ、および光ディスクが、傾いたり、横ずれ等したりしない状態で一直線上に並んでいる状態（ミラーなどにより折り返されていたとしても実質的に一直線上に並んでいると見なせる状態）での基準軸である。一般に、光ディスクに対する情報の記録や再生が高精度で行われるようにするため、諸収差の発生を可能な限り小さく抑えることが望まれる。特にコマ収差や非点収差といった非回転対称性の収差は、情報の記録信号や再生信号の品質を劣化させる大きな要因となるため、光ディスク光学系は、該非回転対称性の収差を十分に補正できるように構成されることが望まれる。
【０００７】
なお、本文において、フォーカシングのために対物レンズを光軸方向に沿って移動させることを、フォーカシングシフトという。また、トラッキングのために対物レンズを光軸方向と直交する方向（光ディスクの円周方向）に移動させることを、トラッキングシフトという。
【０００８】
ここで、光軸に対して光ディスクが傾いた際に、光ディスクの保護層で発生するコマ収差は、該保護層の厚みに対応して変化する性質を持つ。そのため、上記各特許文献では、該保護層で発生するコマ収差を打ち消すために両面を非球面形状とするアプラナチックな対物レンズを光ディスク用光学系に採用する。これにより、光情報記録や再生時におけるコマ収差の発生を抑えている。
【０００９】
しかし、もう一つの非回転対称性の収差である非点収差は、たとえ両面非球面の対物レンズを使用したとしても十分に補正することが極めて困難である。つまり、各特許文献１〜４は、比較的低ＮＡで情報の記録や再生が可能であって、かつ非点収差が残存していても情報の記録や再生が可能な程度に収差に対する許容量が大きい光ディスク（ＣＤ等）用の装置に特化した構成となっている。換言すれば、上記の各特許文献１〜４は、ＤＶＤ等の記録密度が高く、情報の記録や再生時には高ＮＡでより小径のスポットを形成する必要がある光ディスク用の装置には適用できないと言った問題があった。
【００１０】
また、近年、多くの光情報記録再生装置には、ＤＶＤとＣＤに互換性を有する光ディスク用光学系が搭載されている。ここで、コマ収差の量がディスク保護層厚に依存して変化することを踏まえると、このような複数種類の光ディスクに互換性ある光ディスク用光学系は、上記各特許文献１〜４に開示の光学系のように、対物レンズの構成のみで各ディスク使用時に発生するコマ収差を補正することは不可能である。また互換性ある光ディスク用光学系は、上記各特許文献１〜４と同様に非点収差が残存する。従って上記各特許文献１〜４の構成を互換性ある光ディスク用光学系に適用しようとすると、特に記録密度の高い光ディスクに対する高精度な情報の記録や再生ができないといった問題もある。
【発明の開示】
【発明が解決しようとする課題】
【００１１】
そこで本発明は上記の事情に鑑み、カップリングレンズを省略しても、情報記録再生時に発生する諸収差を良好に抑えることができる光ディスク用光学系、特に保護層厚の異なる複数種類の光ディスクに対する情報の記録および／または再生を実現する光ディスク用光学系を提供することを目的とする。
【課題を解決するための手段】
【００１２】
上記課題を解決するため、本発明に係る光ディスク用光学系は、情報の記録および／または再生に要求される光ディスク側の開口数が０．６０以上である光ディスクを使用可能な光ディスク用光学系であって、発散光を照射する光源と、光源からの発散光を光ディスクに集光させる対物レンズと、少なくとも対物レンズをトラッキングシフトさせるとともに、該対物レンズの姿勢を変化させる駆動手段と、を有し、駆動手段は、トラッキングシフトさせると同時に、対物レンズの中心軸が光源方向へ向かうように該対物レンズの姿勢を変化させることを特徴とする。
【００１３】
このように、トラッキングシフトと同時に対物レンズの姿勢を変化（チルト）させることにより、トラッキングによって対物レンズで発生する非点収差を、チルトによって軽減することができる。つまり本発明によれば、情報の記録および／または再生に比較的高いＮＡが要求される光ディスクであっても、収差の影響を低減し、安定した情報の記録および／または再生を実行することができる。また、本発明によれば、対物レンズ自体には何ら収差を付与することなく、該レンズの姿勢を変化させることにより非点収差を補正する。従って、基準状態であるトラッキングシフトする前の状態において性能を劣化させるような要素は存在しない。
【００１４】
非点収差の発生を効果的に抑えて、使用時に高ＮＡが要求される光ディスク用の装置に好適な光ディスク光学系にするためには、光源から光ディスクの記録面までの空気換算距離をｄ［ｍｍ］、トラッキングシフトによる像の移動量をＴＲ［ｍｍ］、トラッキングシフト時における対物レンズの姿勢の変化量（つまりレンズチルト量）をθ［°］とすると、以下の条件式（１）を満足することが望ましい。
0.25≦d・tanθ／TR≦0.75 …（１）
【００１５】
条件式（１）は、レンズチルト量を規定する条件である。ここで、非点収差を完全に補正するためには、d・tanθ／TR＝１となるようにレンズチルト量を規定すればよい。しかし、d・tanθ／TR＝１となるようにレンズチルト量を規定すると、ディスクの保護層で発生するコマ収差が大きく残存してしまう。そこで、コマ収差の発生を抑えつつ非点収差を良好に補正するためには条件式（１）を満たすことが望ましい。
【００１６】
条件式（１）の下限を下回る、つまりレンズチルト量が少ない場合、非点収差の補正効果が少ないため好ましくない。また、レンズチルト量が少ないと、対物レンズにおいて高次のコマ収差が多く発生した場合、該コマ収差も十分に補正されず大きく残存してしまう。逆に、条件式（１）の上限を上回る、つまりレンズチルト量が大きいと、対物レンズにおいて発生したコマ収差が残存してしまう、あるいはレンズチルト量の誤差によって発生するコマ収差の量が大きくなりすぎてしまう。該誤差を低減するためには、アクチュエータ等の駆動手段の駆動精度を向上させることが考えられるが、さらなるコストアップに繋がるため好ましくない。
【００１７】
また上記光ディスク用光学系において、コマ収差の発生を効果的に抑えるためには、以下の条件式（２）を満たすような特性を持つ対物レンズを使用することが望ましい。
−0.75≦CMD／CML≦−0.15 …（２）
但し、ＣＭＬは、光源から照射された光束に対して対物レンズのみが傾いたときに発生するコマ収差の感度を、
ＣＭＤは、光源から照射され対物レンズを透過した光束に対して光ディスクのみが傾いたときに発生するコマ収差の感度を、それぞれ表す。
【００１８】
一般に、対物レンズは、光ディスク用光学系に搭載される際、中心軸が光源からの光束の主光線と略一致しかつ光ディスクの記録面と直交するように、光源や光ディスクとの相対的な位置調整が行われる。そして該対物レンズは、該位置調整が行われた状態の対物レンズに軸外光が入射した場合であってもコマ収差が発生しないような設計がなされる。より詳しくは、対物レンズは、入射光束に対して該対物レンズが傾いた時に発生するコマ収差が、入射光束に対して光ディスクが傾いた時に発生するコマ収差に対して、同量かつ異符号（CMD／CML≒−１）になるように設計される。これにより、二つのコマ収差が互いに打ち消し合うことになり、結果としてコマ収差の発生を抑えられる。
【００１９】
しかし、非点収差を補正するために対物レンズをチルトすると、光源から照射される光束の主光線に対する対物レンズの傾きと、該主光線に対する光ディスクの傾きが異なってしまう。そのため、上記二つのコマ収差が同量かつ異符号であると、レンズをチルトすることにより非点収差は補正されるものの、コマ収差は却って増加してしまう。そこで、コマ収差と非点収差の双方を良好に補正するためには条件式（２）を満たすことが望ましい。
【００２０】
条件式（２）において、下限を下回る、つまり対物レンズが傾くことによるコマ収差の感度が小さくなりすぎると、非点収差を補正できたとしてもコマ収差は大きく発生してしまい好ましくない。また、条件式（２）において、上限を上回る、つまり対物レンズが傾くことによるコマ収差の感度が大きくなりすぎると、レンズチルト量の誤差によって発生するコマ収差の量が大きくなりすぎてしまい好ましくない。
【００２１】
なお、本文において、コマ収差の感度ＣＭＬ、ＣＭＤは、入射光束に対して対物レンズおよび光ディスクが１°傾いた時に発生する波面収差をゼルニケ（Zernike）の多項式で展開することにより得られる各項の係数のうち、３次のコマ収差に対応する項の係数とする。因みに、波面収差の量をｒｍｓ値で表した場合、３次のコマ収差の係数ＣＭ３とｒｍｓ値は以下のような関係が成立する。
ｒｍｓ値＝１／√８×｜ＣＭ３｜
【００２２】
また、以下の条件式（３）を満たすことにより、非点収差およびコマ収差の発生を同時にかつ効果的に抑えることが可能になる。
−0.30≦（CMD／CML）・d・tanθ／TR≦−0.15  …（３）
【００２３】
条件式（３）によって規定される範囲を外れると、非点収差の補正効果とコマ収差の補正効果とのバランスが適切に取ることができなくなり好ましくない。
【００２４】
また、本発明は、ディスク保護層厚の異なる複数種類の光ディスクに対して情報の記録および／または再生可能な光ディスク用光学系にも適用することができる。すなわち、本発明に係る光ディスク用光学系は、ディスク保護層厚の異なる複数種類の光ディスクに対する情報の記録および／または再生に対応した波長の発散光を照射する複数の光源と、各光ディスクに対する情報の記録および／または再生時に共通に用いられ、複数の光源からの発散光を各光ディスクに集光させる対物レンズと、少なくとも、対物レンズをトラッキングシフトさせるとともに、該対物レンズの姿勢を変化させる駆動手段と、を有し、駆動手段は、複数種類の光ディスクの中で少なくとも最もディスク保護層厚の薄い第一の光ディスクに対する情報の記録・再生時には、トラッキングシフトと同時に対物レンズの中心軸が光源へ向かうように姿勢を変化させるように構成することを特徴とする。
【００２５】
上記のような構成の光ディスク用光学系において、第一の光ディスクに対する情報の記録・再生を行う際のトラッキングシフト時における対物レンズの姿勢の変化量をθ１［°］、第一の光ディスクよりも相対的に保護層厚の厚い第二の光ディスクに対する情報の記録・再生を行う際のトラッキングシフト時における対物レンズの姿勢の変化量をθ２［°］とすると、以下の条件式（５）を満たすことが望ましい。より好ましくは、各変化量は条件式（６）を満足する。
−0.1≦θ2／θ1≦1 …（５）
θ2／θ1＝0 …（６）
【００２６】
条件式（５）に規定する範囲を外れると、コマ収差が残存してしまい、高精度での情報の記録や再生ができなくなるため好ましくない。条件式（６）を満たすように構成すると、第二の光ディスクに対する情報の記録や再生時に駆動手段の制御が容易になる利点がある。
【００２７】
詳しくは、情報の記録および／または再生に要求される光ディスク側の開口数が０．６０以上の光ディスクを第一の光ディスクとすることができる。また、複数種類の光ディスクの中で最も保護層厚の厚い光ディスクを第二の光ディスクとすることができる。
【００２８】
以上説明した、ディスク保護層厚の異なる複数種類の光ディスクに対して情報の記録および／または再生可能な光ディスク用光学系の場合、条件式（１）〜（３）はそれぞれ以下の条件式（４）、（７）、（８）に書き換えられる。
【００２９】
0.25≦d1・tanθ1／TR≦0.75 …（４）
−0.75≦CMD1／CML1≦−0.15 …（７）
−0.30≦（CMD1／CML1）・d1・tanθ1／TR≦−0.15 …（８）
但し、各係数の末尾に下付けされた数字は、第一の光ディスク使用時の値であることを意味する。
【００３０】
なお、複数の光源のうち、第二の光ディスクに対する情報の記録および／または再生に対応した波長の発散光を照射する第二の光源から照射された光束に対して対物レンズのみが傾いたときに発生するコマ収差の感度をＣＭＬ２、第二の光源から照射され対物レンズを透過した光束に対して第二の光ディスクのみが傾いたときに発生するコマ収差の感度をＣＭＤ２としたとき、以下の条件式（９）を満足することが望ましい。
−1.50≦CMD2／CML2≦−0.50  …（９）
【００３１】
条件式（９）において、下限を下回ると、第二のディスクに対する情報の記録および／または再生時に、トラッキングシフトによって発生するコマ収差が大きくなりすぎてしまう。また、上限を上回ると、対物レンズをチルトしたことに対するコマ収差の感度が大きくなりすぎ、レンズチルト量の誤差によるコマ収差の発生量が大きくなりすぎてしまう。
【００３２】
なお、上記で示した各条件式における数値のうち、d・tanθ／TRを０．５、CMD／CMLを−０．５に設定すると、非点収差の補正効果とコマ収差の補正効果がどちらも最も良好に作用する。これを踏まえ、本発明を別の観点から定義すると、以下のようになる。
【００３３】
すなわち、本発明に係る光ディスク用光学系は、第一の光ディスクと、該第一の光ディスクの保護層厚の略倍の保護層厚を持つ第二の光ディスクに対して情報の記録および／または再生可能な光ディスク用光学系であって、第一の光ディスクと第二の光ディスクに対する情報の記録および／または再生に対応した波長の発散光を照射する複数の光源と、第二の光ディスクの保護層厚によって発生するコマ収差の感度と略同一のコマ収差の感度を有し、第一の光ディスクと第二の光ディスクに対する情報の記録および／または再生時に共通に用いられ、発散光を各光ディスクに集光させる対物レンズと、少なくとも、対物レンズをトラッキングシフトさせるとともに、対物レンズの中心軸が光源方向へ向かうように該対物レンズの姿勢を変化させる駆動手段と、を有し、駆動手段は、第一の光ディスクに対する情報の記録および／または再生時において、トラッキングシフトと同時に、該トラッキングシフトによって発生する非点収差をほぼ完全に補正するような対物レンズの姿勢に対応する変化量の略半分だけ対物レンズの姿勢を変化させ、第二の光ディスクに対する情報の記録および／または再生時においては、トラッキングシフト時に対物レンズの姿勢を変化させないことを特徴とする。
【００３４】
上述した複数種類の光ディスクに対応する光ディスク用光学系において、複数の光源は、光束の射出方向に直交する面内でずれた位置に配置されると共に、複数の光源の対物レンズによる像が、トラッキングシフトによる像の移動方向と略直交する方向に並ぶように配置されていても良い。
【００３５】
上述した複数種類の光ディスクに対応する光ディスク用光学系は、使用される光ディスクの種類を判別するディスク判別手段を更に備えていても良い。この場合、駆動手段は、ディスク判別手段による判別結果に基づき、複数の光源のうちの使用される光源及び対物レンズのトラッキングシフト量に応じた対物レンズの姿勢の変化量を設定することができる。
【００３６】
上述した複数種類の光ディスクに対応する光ディスク用光学系において、複数の光源は、光束の射出方向に直交する面内でずれた位置に配置され、駆動手段は、複数の光源のうち使用される光ディスクの種類に対応する光源が対物レンズの中心軸上に位置するよう対物レンズを移動させた位置を、使用される光ディスクのトラッキングシフトの基準位置とするよう構成されていても良い。光ディスク用光学系がこのような構成である場合において、複数の光源はトラッキングシフトによる像の移動方向に配列されていても良い。さらに、光ディスク用光学系は、使用される光ディスクの種類を判別するディスク判別手段を備えていても良い。この場合、駆動手段は、ディスク判別手段による判別結果に基づき、複数の光源のうちの使用される光源及び対物レンズのトラッキングシフト量に応じた対物レンズの姿勢の変化量を設定すると共に、トラキングシフトの基準位置の設定を行うことができる。
【発明の効果】
【００３７】
以上のように本発明によれば、トラッキングシフトによって対物レンズに軸外光が入射することにより発生する非点収差を、対物レンズの姿勢を変化させることにより発生する非点収差によって軽減して、情報の記録および／または再生に高いＮＡが要求される光ディスクであっても情報の記録および／または再生が可能な有限系の光ディスク用光学系を提供することができる。
【００３８】
本発明に係る光ディスク用光学系は、非点収差の補正のみならず、コマ収差も良好に補正することが可能である。具体的には、軸外光が入射した時における対物レンズのコマ収差の感度が、対物レンズを介した該軸外光が入射した時における光ディスクのコマ収差の感度と所定の関係になるように、対物レンズを構成する。これにより、トラッキングシフトによって発生するコマ収差も、非点収差の補正効果とのバランスを取りつつ、良好に補正することが可能になる。
【発明を実施するための最良の形態】
【００３９】
以下、図面を参照しつつ、本発明に係る光ディスク用光学系のいくつかの実施形態について具体的な実施例と共に説明する。図１は、第一実施形態の光ディスク用光学系１００と、情報の記録・再生の対象となる光ディスク２０Ａを示す図である。光ディスク用光学系１００は、光源１、ビームスプリッタ２、レンズ駆動機構３、センサ４、対物レンズ１０を有する。光ディスク２０Ａは、保護層が薄く記録密度が高い光ディスク（例えばＤＶＤ）を意味する。つまり、光ディスク用光学系１００は、記録密度が高い光ディスク２０Ａに対して情報の記録再生を行う光情報記録再生装置に搭載される光学系である。なお光ディスク２０Ａは、図示しないターンテーブル上に載置され回転駆動される。
【００４０】
図１に示すように、光ディスク用光学系１００は、光源１と対物レンズ１０の間にカップリングレンズを有さない有限系である。つまり、光源１から照射されたレーザー光（発散光）は、対物レンズ１０のみによって収束される。このことは、以下に述べる第二実施形態の光ディスク用光学系２００も同様である。
【００４１】
光源１は、比較的波長の短いレーザー光を発振する。光源１から照射されたレーザー光は、ビームスプリッタ２、対物レンズ１０を介して光ディスク２０Ａの記録面上において小径のスポットを形成する。光ディスク２０Ａからの光（信号光）は、センサ４によって受光される。センサ４に入射した信号光は、図示しない信号処理回路によって演算処理され、光ディスク２０Ａに対する情報の書き込み制御や情報の読み取りが行われる。
【００４２】
レンズ駆動機構３は、対物レンズ１０を保持するレンズホルダ３１と、レンズホルダ３１に保持された対物レンズ１０の位置や姿勢を微調整するアクチュエータ３２を有する。図２は、レンズ駆動機構３の作用を説明するための図である。図２は、説明の便宜上、図１に示す光ディスク用光学系１００の光路を一直線上に展開して示している。対物レンズ１０は、アクチュエータ３２によってフォーカシングシフト（図２中、Ｘ方向にシフト）したり、トラッキングシフト（同図中、Ｙ方向にシフト）したりする。これにより、光ディスク用光学系１００は、光ディスクの反り、傾き、偏芯等によりフォーカスずれやトラックずれが生じた場合にも安定した情報の記録や再生を実現する。
【００４３】
レンズ駆動機構３は、トラッキングシフトすると同時に、中心軸ＣＬが光源１方向に向かうように対物レンズ１０をチルトさせる。光源１方向とは、詳しくは、対物レンズ１０から見た仮想的な発光点がある方向である。これより、トラッキングシフトによって発生する非点収差を、対物レンズ１０のチルトによって発生する非点収差で効果的に軽減する。このとき、コマ収差も十分に補正できるようにレンズチルト量は、対物レンズの中心軸の延長線上に仮想的な発光点が位置するよりも少ない量に設定される。本実施形態では、光源１から光ディスクの記録面までの空気換算距離をｄ［ｍｍ］、トラッキングシフトによる像の移動量をＴＲ［ｍｍ］、レンズチルト量（光軸Ａｘと対物レンズの中心軸ＣＬとがなす角）をθ［°］とすると、レンズ駆動機構３は、以下の条件式（１）を満足するように対物レンズ１０を駆動する。
0.25≦d・tanθ／TR≦0.75  …（１）
【００４４】
条件式（１）を満足するように対物レンズ１０を駆動すれば、トラッキングシフト後の対物レンズ１０に軸外光が入射することによって発生する非点収差を効果的に抑えている。例えば、条件式（１）の値が０．３になるようにレンズチルト量を設定すると、非点収差の量は約１／２に、条件式（１）の値が０．５になるようにレンズチルト量を設定すると１／４にまで軽減できるため、要求される開口数が高い光ディスクに対する情報の記録や再生が高精度に実現される程度まで十分に補正することができる。
【００４５】
対物レンズ１０は、光源１側の面および光ディスク２０Ａ側の面がともに非球面である。また、対物レンズ１０は、以下の条件式（２）を満たすような特性を持つ。
−0.75≦CMD／CML≦−0.15  …（２）
但し、ＣＭＬは、光源から照射された光束に対して対物レンズのみが傾いたときに発生するコマ収差の感度を、
ＣＭＤは、光源から照射され対物レンズを透過した光束に対して光ディスクのみが傾いたときに発生するコマ収差の感度を、それぞれ表す。
【００４６】
対物レンズ１０に条件式（２）を満たす特性を付与することにより、トラッキングシフト後の対物レンズ１０に軸外光が入射することによって発生するコマ収差を効果的に抑えている。特に、条件式（２）の値が−０．５近傍になる特性を対物レンズ１０に付与すると、非点収差の補正効果と、コマ収差の補正効果のバランスが良好になる。
【００４７】
条件式（１）と条件式（２）を総括すると、光ディスク用光学系１００は、以下の条件式（３）を満たすように構成することにより、非点収差やコマ収差を同時にかつ良好に抑えている。
−0.30≦（CMD／CML）・d・tanθ／TR≦−0.15  …（３）
【００４８】
以上が第一実施形態の光ディスク用光学系１００の説明である。続いて本発明の第二実施形態の光ディスク用光学系２００の説明をする。図３は、第二実施形態の光ディスク用光学系２００と、情報の記録や再生の対象となる第一の光ディスク２０Ａと第二の光ディスク２０Ｂを示す図である。つまり、第二実施形態の光ディスク用光学系２００は、保護層厚の異なる複数種類の光ディスクに対して適用可能な光学系である。なお、第二実施形態の光ディスク用光学系２００のうち、上述した光ディスク用光学系１００と略同一の構成については、第一実施形態での説明を参照し、ここでの説明は簡略あるいは省略する。
【００４９】
適用される光ディスクのうち、第一の光ディスク２０Ａは、第一実施形態で説明した光ディスク２０Ａと同一である。第二の光ディスク２０Ｂは、第一の光ディスク２０Ａよりも相対的に保護層厚の厚い光ディスクで、ＣＤやＣＤ−Ｒ等が例示される。
【００５０】
第二実施形態の光源１は、各光ディスク２０Ａ、２０Ｂ使用時に対応する波長のレーザ光束を発振可能な発光部を複数（ここでは二つ）備えている。各発光点は、光ディスク用光学系２００の光路を一直線上に展開した場合において、対物レンズ１０の光軸と直交する面内で僅かにずれた位置に配設される。なお、図３において、第一の光ディスク２０Ａ使用時に用いられる光束の光路を実線で示し、第二の光ディスク２０Ｂ使用時に用いられる光束の光路を破線で示す。
【００５１】
光源１とビームスプリッタ２の間には回折格子５が配設される。回折格子５は、３ビーム法によりトラックずれ信号を得るためのサブビームを生成するために設けられている。
【００５２】
第二実施形態の対物レンズ１０は、第一実施形態と同様両面が非球面に形成されている。そして少なくとも一方の面は、中心軸を中心とした複数の微細な段差を有する輪帯状の回折構造が設けられている。
【００５３】
対物レンズ１０は、該回折構造の回折作用により、保護層厚の異なる各光ディスク２０Ａ、２０Ｂに適用互換性を備える。さらに、対物レンズ１０は、各光ディスク２０Ａ、２０Ｂ使用時に要求されるディスク側の開口数に対応した開口径を有するような開口制限機能も有する。これにより、光源１からのレーザ光束は、情報の記録や再生に好適な開口数をもって光ディスク２０Ａまたは２０Ｂの記録面上に収束する。
【００５４】
第二実施形態のレンズ駆動機構３は、第一実施形態と同様、対物レンズ１０をフォーカシングシフト、トラッキングシフト、およびチルトする。これにより、光ディスクの反り、傾き等だけでなく、使用する光ディスクの保護層厚の違いに起因する作動距離の違い等によるフォーカスずれやトラックずれが生じた場合にも安定した情報の記録や再生が実現される。図３中、第一の光ディスク２０Ａ使用時の位置にある対物レンズ１０を実線で示し、第二の光ディスク２０Ｂ使用時の位置にある対物レンズ１０を点線で示す。
【００５５】
第一の光ディスク２０Ａに対する情報の記録時や再生時にトラッキングシフトに伴い発生する非点収差およびコマ収差は、第一実施形態と同様、レンズチルトにより良好に補正される。すなわち、トラッキングのためにレンズシフトを行うと同時に、対物レンズの中心軸が、対物レンズ１０から見た仮想的な発光点（より具体的には、第一の光ディスクに対応する波長のレーザ光束を発振する発光点）の方向に向かうようにレンズチルトが行われる。
【００５６】
このようにレンズチルトを用いることにより、光ディスク２０Ａ使用時に発生するコマ収差と非点収差を同時にかつ良好に抑えるため、第二実施形態の光ディスク用光学系２００も、条件式（１）〜（３）に対応する条件式（４）、（７）、（８）を満たすように構成される。なお各条件式で用いる各係数の末尾に下付けされた数字「１」は、第一の光ディスク２０Ａ使用時の係数であることを意味する。
【００５７】
0.25≦d1・tanθ1／TR≦0.75 …（４）
−0.75≦CMD1／CML1≦−0.15 …（７）
−0.30≦（CMD1／CML1）・d1・tanθ1／TR≦−0.15 …（８）
【００５８】
また、第二の光ディスクの記録または再生時に要求されるディスク側の開口数は比較的小さい。そのため、レンズチルトの量が少なくても非点収差はあまり大きく残存せず、実用上問題ない。従って、第二の光ディスク２０Ｂに対する情報の記録および再生時には、トラッキングのためにレンズシフトを行っても、レンズチルトは行わないか、または第一の光ディスクに対する情報の記録および再生時のレンズチルト量の同量以下にとどめておく。
【００５９】
このように必要に応じてレンズチルトを用いることにより、光ディスク２０Ｂ使用時に発生するコマ収差と非点収差を同時にかつ良好に抑えるため、第二実施形態の対物レンズ１０は、さらに以下の条件式（９）を満足する特性を持つ。なお各条件式で用いる各係数の末尾に下付けされた数字「２」は、第二の光ディスク２０Ｂ使用時の係数であることを意味する。
−1.50≦CMD2／CML2≦−0.50  …（９）
【００６０】
もし、第二の光ディスク２０Ｂ使用時にレンズチルトを行わない構成を採る場合には、条件式（９）の値が−１になる特性を対物レンズ１０に付与すると、コマ収差が最も良好に補正される。
【００６１】
上記のレンズチルト量について規定したのが、以下の条件式（５）、（６）である。
−0.1≦θ2／θ1≦1 …（５）
θ2／θ1＝0 …（６）
但し、θ１は、第一の光ディスク２０Ａに対する情報の記録や再生を行う際のトラッキングシフト時における対物レンズ１０のレンズチルト量を、
θ２は、第二の光ディスク２０Ｂに対する情報の記録や再生を行う際のトラッキングシフト時における対物レンズ１０のレンズチルト量をそれぞれ表す。
【００６２】
上述のように、光源１の複数の発光部は、対物レンズ１０の光軸と直交する面内において僅かにずれた位置に配置されている。複数の発光部の配列の一つの例は、複数の発光部の対物レンズ１０による像が、トラッキングシフトによる像の移動方向と略直交する方向に並ぶようなものである。この場合、各発光部がトラッキングシフト方向と略直交するように配置されることで、発光部の位置がずれていることにより発生する像高（物体高）成分と、トラッキングシフトに伴い発生する像高成分とが互いに直交する関係となる。したがって、これら２つの成分が足し合わされて、収差を良好に抑える性能への影響が大きくなることを防ぐことができる。
【００６３】
複数の発光部の配列のもう一つの例は、複数の発光部がトラッキングシフトによる像の移動方向に配列されているものである。
【００６４】
なお、レンズ駆動機構３は、複数の発光部のうち使用される光ディスクの種類に対応する発光部が対物レンズ１０の中心軸上に位置するよう対物レンズ１０を移動させた位置を、使用される光ディスクのトラッキングシフトの基準位置（トラッキングシフトしていない状態での対物レンズ１０の位置）とするよう動作しても良い。トラッキングシフトの基準位置を、使用される発光部の位置に合わせてずらすことで、基準位置では、発光部および対物レンズ１０が、対物レンズ１０の中心軸上に並んでいる状態が実現される。これにより、収差の発生を最低限に抑えることができる。
【００６５】
レンズ駆動機構３が上記のようなトラッキングシフトの基準位置の調整を行う構成である場合には、複数の発光部は、トラッキングシフトによる像の移動方向に配列されているのが好ましい。この場合、光源がトラッキングシフト方向に沿って配列されている為、トラッキングシフトの基準位置を、使用する発光部に合わせてずらす際の対物レンズ１０の移動方向と、トラッキングシフトの方向とが一致することになる。よって、トラッキングシフトの基準位置を、使用する発光部に合わせてずらす為に、レンズ起動機構３が別個の駆動軸を備える必要がなくなり、レンズ起動機構３が複雑になるのを回避することができる。
【００６６】
第２実施形態の光ディスク光学系２００には、使用される光ディスクの種類を自動判別する判別機能が付加されていても良い。この場合、レンズ駆動機構３は、自動判別による結果を用いて、複数の発光部を持つ光源１における発光の設定、および対物レンズ１０の姿勢の制御を行うことができる。また、レンズ駆動機構３が、トラッキングシフトの基準位置を調整する構成である場合には、上記判別機能による判別結果を用いて、トラッキングシフトの基準位置の調整が更に行われても良い。なお、光ディスク種別の判別機能は、使用されている光ディスクからの信号光を受光するセンサ４が出力する信号を用いることによって実現することができる。判別機能は、センサ４からの信号を処理する信号処理回路によって実現されても良い。また、判別機能の具体的な例の一つとして、センサ４に戻ってくる光ディスク表面からの反射光と、ディスク記録面からの反射光とのセンサ４上での間隔から保護層厚を求め、それによって光ディスクの種類を判別するという手法もある。
【００６７】
以上が第二実施形態の光ディスク用光学系２００の説明である。以下、第一実施形態に基づく具体的実施例を１例、第二実施形態に基づく具体的実施例を５例、順に説明する。
【実施例１】
【００６８】
第一実施形態の光ディスク用光学系１００は、実施例１に具体的に示される。実施例１の光ディスク用光学系１００の概略構成は、図１に示される。実施例１の光ディスク用光学系１００と使用される光ディスク２０Ａの具体的な数値構成は、表１および表２に示されている。
【００６９】
【表１】
0004722472.tif 000002
【表２】
0004722472.tif 000003
【００７０】
表１中、設計波長λは光ディスク２０Ａに対する情報の記録や再生に最も適した波長である。表２中、ｒは光学部材の各面の曲率半径（単位：ｍｍ）、ｄは光ディスク２０Ａに対する情報の記録再生時におけるレンズ厚またはレンズ間隔（単位：ｍｍ）、ｎはｄ線（５８８ｎｍ）での屈折力、νはｄ線でのアッベ数である。
【００７１】
また、対物レンズ１０の第一面（面番号３）および第二面（面番号４）は非球面である。その形状は光軸からの高さがｈとなる非球面上の座標点の非球面の光軸上での接平面からの距離（サグ量）をＸ（ｈ）、非球面の光軸上での曲率（１／ｒ）をＣ、円錐係数をＫ、４次、６次、８次、１０次、１２次の非球面係数をＡ４，Ａ６，Ａ８，Ａ１０，Ａ１２として、以下の式で表される。
【数１】
0004722472.tif 000004
各非球面を規定する円錐係数と非球面係数は、表３に示される。なお、表３における表記Ｅは、１０を基数、Ｅの右の数字を指数とする累乗を表している。以下に示す各表においても同様である。
【００７２】
【表３】
0004722472.tif 000005
【００７３】
上記のように構成された実施例１の光ディスク用光学系１００において、対物レンズ１０は、CMD1／CML1＝−０．５２８の特性を持つ。そして、レンズ駆動機構３（アクチュエータ３２）は、トラッキングシフトおよびチルトする際、対物レンズ１０をd1・tanθ1／TR＝０．４５で駆動制御するように設計される。従って、実施例１の光ディスク用光学系１００は、（CMD1／CML1）・d1・tanθ1／TR＝−０．２３８となる。以上より、実施例１の光ディスク用光学系１００は、条件式（１）〜（３）を全て満たす。
【００７４】
図４は、トラッキングシフトによって生じる非回転対称性収差の量を示すグラフである。図４において、横軸がトラッキング量、縦軸が収差量を示す。以下の各図においても同様である。図４に示すように、条件式（１）〜（３）を全て満たす実施例１の光ディスク用光学系１００は、光ディスク２０Ａに対する情報の記録時や再生時にトラッキング量が大きくなっても、コマ収差や非点収差といった非回転対称性収差の発生を有効に防いでいることがわかる。つまり実施例１の光ディスク用光学系１００で光ディスク２０Ａを使用した場合、高精度での情報の記録や再生が実現される。
【００７５】
第二実施形態の光ディスク用光学系２００は、実施例２〜６に具体的に示される。実施例２〜６の光ディスク用光学系２００の概略構成は、図３に示される。
【実施例２】
【００７６】
実施例２の光ディスク用光学系２００の性能諸元は、表４に示される。また、第一の光ディスク２０Ａ使用時における、実施例２の光ディスク用光学系２００の具体的な数値構成は表５に、第二の光ディスク２０Ｂ使用時における、実施例２の光ディスク用光学系２００の具体的な数値構成は表６に、それぞれ示されている。
【００７７】
【表４】
0004722472.tif 000006
【表５】
0004722472.tif 000007
【表６】
0004722472.tif 000008
【００７８】
実施例２の光ディスク用光学系２００において、対物レンズ１０の各面（面番号５、６）は非球面である。各非球面を規定する円錐係数と非球面係数は、表７に示される。
【００７９】
【表７】
0004722472.tif 000009
【００８０】
さらに、対物レンズ１０の第一面（面番号５）には、回折構造が形成される。該回折構造は、以下の光路差関数φ（ｈ）により表される。
【数２】
0004722472.tif 000010
【００８１】
光路差関数φ（ｈ）は、回折レンズの機能を光軸からの高さｈでの光路長付加量の形で表現したものである。Ｐ２、Ｐ４、Ｐ６、…はそれぞれ２次、４次、６次、…の係数である。該回折構造を規定する光路差関数係数Ｐ２、…は、表８に示される。ｍは利用する回折光の次数を表し、本実施例ではｍ＝1としている。
【００８２】
【表８】
0004722472.tif 000011
【００８３】
なお、表５〜表８に示すように、対物レンズ１０の第一面（面番号５）は、レンズの内側領域（ｈ≦１．３４）と外側領域（ｈ＞１．３４）とによって曲率半径ｒや非球面の形状、回折構造が異なっている。
【００８４】
上記のように構成された実施例２の光ディスク用光学系２００において、対物レンズ１０は、CMD1／CML1＝−０．４９３、CMD2／CML2＝−０．９６１の特性を持つ。そして、レンズ駆動機構３（アクチュエータ３２）は、第一の光ディスク２０Ａ使用時にトラッキングシフトおよびチルトする際、対物レンズ１０をd1・tanθ1／TR＝０．５０で駆動制御するように設計される。従って、第一の光ディスク２０Ａ使用時における実施例２の光ディスク用光学系２００は、（CMD1／CML1）・d1・tanθ1／TR＝−０．２４７となる。以上より、実施例２の光ディスク用光学系２００は、条件式（４）、（７）、（８）、（９）を全て満たす。
【００８５】
図５は、第一の光ディスク２０Ａ使用時、トラッキングシフトによって生じる非回転対称性収差の量を示すグラフである。図５に示すように、条件式（４）、（７）、（８）を全て満たす実施例２の光ディスク用光学系２００は、第一の光ディスク２０Ａに対する情報の記録・再生時にトラッキング量が大きくなっても、コマ収差や非点収差といった非回転対称性収差の発生を有効に防いでいることがわかる。つまり実施例２の光ディスク用光学系１００で光ディスク２０Ａを使用した場合、高精度での情報の記録や再生が実現される。
【００８６】
また、第二の光ディスク２０Ｂ使用時、実施例２の光ディスク用光学系２００は、レンズチルトを行わない。つまり、条件式（５）および（６）を共に満たす。図６は、第二の光ディスク２０Ｂ使用時、トラッキングシフトによって生じる非回転対称性収差の量を示すグラフである。図６に示すように、上記の各条件式を満たす実施例２の光ディスク用光学系２００は、第二の光ディスク２０Ｂ使用時、トラッキング量が大きくなっても非点収差、コマ収差ともに実用上問題ない程度まで十分に抑えられている。
【実施例３】
【００８７】
実施例３の光ディスク用光学系２００は、実施例２の光ディスク用光学系２００と同一構成である。実施例３の光ディスク用光学系２００は、第一の光ディスク２０Ａ使用時のレンズ駆動制御は実施例２と全く同一である。従って実施例３の光ディスク用光学系２００は、第一の光ディスク２０Ａ使用時、実施例２と同様の効果が得られる。但し、実施例３の光ディスク用光学系２００は、第二の光ディスク２０Ｂ使用時にレンズチルトを行う点が実施例２と異なる。
【００８８】
実施例３の光ディスク用光学系２００は、第二の光ディスク２０Ｂ使用時、トラッキングシフトと同時に、θ2／θ1＝０．４を満たすようなレンズチルトを行う。つまり、実施例３の光ディスク用光学系２００は、レンズチルト量を規定する条件式のうち条件式（５）のみを満たす。
【００８９】
図７は、実施例３の光ディスク用光学系２００において、第二の光ディスク２０Ｂ使用時、トラッキングシフトによって生じる非回転対称性収差の量を示すグラフである。図７に示すように、実施例３の光ディスク用光学系２００は、第二の光ディスク２０Ｂ使用時、トラッキング量が大きくなっても非点収差、コマ収差ともに実用上問題ない程度まで十分に抑えられている。
【実施例４】
【００９０】
実施例４の光ディスク用光学系２００の性能諸元は、表９に示される。また、第一の光ディスク２０Ａ使用時における、実施例４の光ディスク用光学系２００の具体的な数値構成は表１０に、第二の光ディスク２０Ｂ使用時における、実施例４の光ディスク用光学系２００の具体的な数値構成は表１１に、それぞれ示されている。
【００９１】
【表９】
0004722472.tif 000012
【表１０】
0004722472.tif 000013
【表１１】
0004722472.tif 000014
【００９２】
実施例４の光ディスク用光学系２００においても、対物レンズ１０の各面（面番号５、６）は非球面である。各非球面を規定する円錐係数と非球面係数は、表１２に示される。また、対物レンズ１０の第一面（面番号５）には、回折構造が形成される。該回折構造を規定する光路差関数係数Ｐ２、…は、表１３に示される。
【００９３】
【表１２】
0004722472.tif 000015
【表１３】
0004722472.tif 000016
【００９４】
なお、表１０〜表１３に示すように、対物レンズ１０の第一面（面番号５）は、レンズの内側領域（ｈ≦１．３６）と外側領域（ｈ＞１．３６）とによって曲率半径ｒや非球面の形状、回折構造が異なっている。
【００９５】
上記のように構成された実施例４の光ディスク用光学系２００において、対物レンズ１０は、CMD1／CML1＝−０．６５３、CMD2／CML2＝−１．１９１の特性を持つ。そして、レンズ駆動機構３（アクチュエータ３２）は、第一の光ディスク２０Ａ使用時にトラッキングシフトおよびチルトする際、対物レンズ１０をd1・tanθ1／TR＝０．３０で駆動制御するように設計される。従って、第一の光ディスク２０Ａ使用時における実施例４の光ディスク用光学系２００は、（CMD1／CML1）・d1・tanθ1／TR＝−０．１９６となる。以上より、実施例４の光ディスク用光学系２００は、条件式（４）、（７）、（８）、（９）を全て満たす。
【００９６】
図８は、第一の光ディスク２０Ａ使用時、トラッキングシフトによって生じる非回転対称性収差の量を示すグラフである。図８に示すように、条件式（４）、（７）、（８）を全て満たす実施例４の光ディスク用光学系２００は、第一の光ディスク２０Ａに対する情報の記録・再生時にトラッキング量を大きくした場合、コマ収差は良好に抑えられ、実用上影響を与えることのない程度の非点収差が発生するのみであることが分かる。つまり実施例４の光ディスク用光学系１００で光ディスク２０Ａを使用した場合、高精度での情報の記録・再生が実現される。
【００９７】
また、第二の光ディスク２０Ｂ使用時、実施例４の光ディスク用光学系２００は、レンズチルトを行わない。つまり、条件式（５）および（６）を共に満たす。図９は、第二の光ディスク２０Ｂ使用時、トラッキングシフトによって生じる非回転対称性収差の量を示すグラフである。図９に示すように、上記の各条件式を満たす実施例２の光ディスク用光学系２００は、第二の光ディスク２０Ｂ使用時、トラッキング量が大きくなっても非点収差、コマ収差ともに実用上問題ない程度まで十分に抑えられている。
【実施例５】
【００９８】
実施例５の光ディスク用光学系２００は、実施例４の光ディスク用光学系２００と同一構成である。実施例５の光ディスク用光学系２００は、第二の光ディスク２０Ｂ使用時のレンズ駆動制御は実施例４と全く同一である。従って実施例５の光ディスク用光学系２００は、第二の光ディスク２０Ｂ使用時、実施例４と同様の効果が得られる。但し、実施例５の光ディスク用光学系２００は、第一の光ディスク２０Ａ使用時におけるトラッキング量やレンズチルト量が実施例２と異なる。
【００９９】
実施例５の光ディスク用光学系２００のレンズ駆動機構３（アクチュエータ３２）は、第一の光ディスク２０Ａ使用時、対物レンズ１０をd1・tanθ1／TR＝０．４５で駆動制御するように設計される。従って、第一の光ディスク２０Ａ使用時における実施例２の光ディスク用光学系２００は、（CMD1／CML1）・d1・tanθ1／TR＝−０．２９４となる。以上より、実施例５の光ディスク用光学系２００は、トラッキング量やレンズチルト量を変えても、実施例４と同様、条件式（４）、（７）、（８）を全て満たす。
【０１００】
図１０は、実施例５の光ディスク用光学系２００において、第一の光ディスク２０Ａ使用時、トラッキングシフトによって生じる非回転対称性収差の量を示すグラフである。図１０に示すように、実施例５の光ディスク用光学系２００は、第一の光ディスク２０Ａ使用時において、トラッキング量が大きくなった場合、若干のコマ収差が発生するものの、非点収差は極めて小さく抑えられている。従って、実施例５の光ディスク用光学系２００は、信号特性が非点収差の影響を受けやすい場合に好適な構成といえる。
【実施例６】
【０１０１】
実施例６の光ディスク用光学系２００の性能諸元は、表１４に示される。また、第一の光ディスク２０Ａ使用時における、実施例６の光ディスク用光学系２００の具体的な数値構成は表１５に、第二の光ディスク２０Ｂ使用時における、実施例６の光ディスク用光学系２００の具体的な数値構成は表１６に、それぞれ示されている。
【０１０２】
【表１４】
0004722472.tif 000017
【表１５】
0004722472.tif 000018
【表１６】
0004722472.tif 000019
【０１０３】
実施例６の光ディスク用光学系２００においても、対物レンズ１０の各面（面番号５、６）は非球面であり、第一面（面番号５）には、回折構造が形成される。各非球面を規定する円錐係数と非球面係数は表１７に、回折構造を規定する光路差関数係数Ｐ２、…は表１８に、それぞれ示される。
【０１０４】
【表１７】
0004722472.tif 000020
【表１８】
0004722472.tif 000021
【０１０５】
なお、表１５〜表１８に示すように、対物レンズ１０の第一面（面番号５）は、レンズの内側領域（ｈ≦１．４８）と外側領域（ｈ＞１．４８）とによって曲率半径ｒや非球面の形状、回折構造が異なっている。
【０１０６】
上記のように構成された実施例６の光ディスク用光学系２００において、対物レンズ１０は、CMD1／CML1＝−０．４４２、CMD2／CML2＝−０．９１８の特性を持つ。そして、レンズ駆動機構３（アクチュエータ３２）は、第一の光ディスク２０Ａ使用時にトラッキングシフトおよびチルトする際、対物レンズ１０をd1・tanθ1／TR＝０．５５で駆動制御するように設計される。従って、第一の光ディスク２０Ａ使用時における実施例６の光ディスク用光学系２００は、（CMD1／CML1）・d1・tanθ1／TR＝−０．２４３となる。以上より、実施例２の光ディスク用光学系２００は、条件式（４）、（７）、（８）、（９）を全て満たす。
【０１０７】
図１１は、第一の光ディスク２０Ａ使用時、トラッキングシフトによって生じる非回転対称性収差の量を示すグラフである。図１１に示すように、条件式（４）、（７）、（８）を全て満たす実施例６の光ディスク用光学系２００は、第一の光ディスク２０Ａに対する情報の記録時や再生時にトラッキング量を大きくした場合、コマ収差や非点収差といった非回転対称性収差の発生を有効に防いでいることがわかる。
【０１０８】
また、第二の光ディスク２０Ｂ使用時、実施例６の光ディスク用光学系２００は、トラッキングシフトと同時に、θ2／θ1＝０．２を満たすようなレンズチルトを行う。つまり、実施例６の光ディスク用光学系２００は、レンズチルト量を規定する条件式のうち条件式（５）のみを満たす。
【０１０９】
図１２は、実施例６の光ディスク用光学系２００において、第二の光ディスク２０Ｂ使用時、トラッキングシフトによって生じる非回転対称性収差の量を示すグラフである。図１２に示すように、実施例６の光ディスク用光学系２００は、第二の光ディスク２０Ｂ使用時、トラッキング量が大きくなっても非点収差、コマ収差ともに実用上問題ない程度まで十分に抑えられている。
【０１１０】
以上が本発明の実施形態である。なお、各実施形態の光ディスク用光学系１００、２００は、上記構成に限定されるものではない。例えば、第二実施形態の光ディスク用光学系２００は、図１３に示すような構成であっても良い。図１３に示す光ディスク用光学系２００は、各光ディスク２０Ａ、２０Ｂに対応する光源１Ａ、１Ｂが別個に配設されている。そして、各光源１Ａ、１Ｂからの光束は、プリズム２’により光路が合成され対物レンズへ向かう。また、各光ディスク２０Ａ、２０Ｂからの信号光は、回折格子６Ａ、６Ｂを介して各々別個に設けられたセンサ４Ａ、４Ｂに入射する。
【０１１１】
いずれの構成であっても複数種類の光ディスクに互換性を有する光ディスク用光学系２００は、使用可能な複数種類の光ディスクのうち最も保護層厚の薄い光ディスクに対する記録および再生を行う場合において、トラッキング時にレンズシフトを行うと同時に、対物レンズ１０の中心軸が、発光点の方向に向かうようにレンズチルトが行われる。これにより、いずれの光ディスクを使用した場合であっても、収差の影響を受けることなく情報の記録・再生が行われる。
【図面の簡単な説明】
【０１１２】
【図１】第一実施形態の光ディスク用光学系と情報の記録および／または再生の対象となる光ディスクを示す図である。
【図２】本発明のレンズ駆動機構の作用を説明するための図である。
【図３】第二実施形態の光ディスク用光学系と、情報の記録および／または再生の対象となる第一の光ディスクと第二の光ディスクを示す図である。
【図４】実施例１の第一の光ディスク使用時のトラッキングシフトによって生じる非回転対称性収差の量を示すグラフである。
【図５】実施例２の第一の光ディスク使用時のトラッキングシフトによって生じる非回転対称性収差の量を示すグラフである。
【図６】実施例２の第二の光ディスク使用時のトラッキングシフトによって生じる非回転対称性収差の量を示すグラフである。
【図７】実施例３の第二の光ディスク使用時のトラッキングシフトによって生じる非回転対称性収差の量を示すグラフである。
【図８】実施例４の第一の光ディスク使用時のトラッキングシフトによって生じる非回転対称性収差の量を示すグラフである。
【図９】実施例４の第二の光ディスク使用時のトラッキングシフトによって生じる非回転対称性収差の量を示すグラフである。
【図１０】実施例５の第一の光ディスク使用時のトラッキングシフトによって生じる非回転対称性収差の量を示すグラフである。
【図１１】実施例６の第一の光ディスク使用時のトラッキングシフトによって生じる非回転対称性収差の量を示すグラフである。
【図１２】実施例６の第二の光ディスク使用時のトラッキングシフトによって生じる非回転対称性収差の量を示すグラフである。
【図１３】第二実施形態の光ディスク用光学系の変形例である。
【符号の説明】
【０１１３】
１    光源
３    レンズ駆動機構
１０    対物レンズ
２０Ａ、２０Ｂ    光ディスク
１００、２００    光ディスク用光学系
【図１】
0004722472.tif 000022
【図２】
0004722472.tif 000023
【図３】
0004722472.tif 000024
【図４】
0004722472.tif 000025
【図５】
0004722472.tif 000026
【図６】
0004722472.tif 000027
【図７】
0004722472.tif 000028
【図８】
0004722472.tif 000029
【図９】
0004722472.tif 000030
【図１０】
0004722472.tif 000031
【図１１】
0004722472.tif 000032
【図１２】
0004722472.tif 000033
【図１３】
0004722472.tif 000034